(57)【特許請求の範囲】
【請求項１】
下面にパンチ屑溜めを設けた基台の上方に作動部固定部を固着し、該作動部固定部の前部に、支点ピンにより回動可能にハンドルを装着し、ハンドルを押し下げることにより、内部に装着された穿孔刃が下降して、挿入口から挿入された書類を穿孔する1穴パンチ具において、
パンチガイド押さえによりパンチ位置をガイドするパンチガイドがパンチ屑溜めの下面に固着されたパンチガイドピンに係留されており、
該パンチガイドには中心に細長いパンチガイド摺動孔があり、
パンチ屑溜めの下面にはパンチガイドを収納することとパンチガイドを引き出して回転させた場合にパンチガイドが基台と直角になるように規制することを目的とするパンチガイド収納カバーがあり、
パンチガイドはそのパンチガイド摺動孔にパンチガイドピンを保持しながら、パンチガイドをパンチガイド収納カバーから最大限まで引き出すまでは基台の長辺方向のみの移動、パンチガイドを最大限まで引き出した時点では左右両方向へ９０度までの回転及び左若しくは右方向に９０度回転させたときの基台の長辺方向と直角の動き又は基台の長辺方向と同じ向きにあるときの基台の長辺方向のみの動き、が可能であり、
パンチガイドとパンチ屑溜めの下面との間には、板バネがあり、パンチガイドはパンチガイド押さえに押圧されており、不用意に動かないようになっている、
１穴パンチ具。
【発明の詳細な説明】
【技術分野】
【０００１】
この発明は、パンチガイドを有する１穴パンチ具に関する。
【背景技術】
【０００２】
従来の１穴パンチ具でガイド機能を有するものに、収納可能な定規を有するものがある。(例えば、特許文献１参照。)
また、収納可能なパンチガイドを有するものがある。(例えば、特許文献２参照。)
また、本体に目印を有するものがある。(例えば、特許文献２参照。)
【先行技術文献】
【特許文献】
【０００３】
【特許文献１】実公昭３８−５５０３号公報
【特許文献２】実公昭５０−２２３９０号公報
【特許文献３】特開２０００−１２７０９６号公報
【発明の概要】
【発明が解決しようとする課題】
【０００４】
これらの１穴パンチ具は、そのパンチガイド等が１方向にのみにあり、利き手が合致しない者には使いづらいことがある。
この発明は、パンチガイドをパンチ具の右または左のどちらの側でも利用できる１穴パンチ具を提供することを課題とする。
【課題を解決するための手段】
【０００５】
本発明の１穴パンチ具は、下面にパンチ屑溜めを設けた基台の上方に作動部固定部を固着し、該作動部固定部の前部に、支点ピンにより回動可能にハンドルを装着し、ハンドルを押し下げることにより、内部に装着された穿孔刃が下降して、挿入口から挿入された書類を穿孔する1穴パンチ具において、パンチガイド押さえによりパンチ位置をガイドするパンチガイドがパンチ屑溜めの下面に固着されたパンチガイドピンに係留されており、  該パンチガイドには中心に細長いパンチガイド摺動孔があり、パンチ屑溜めの下面にはパンチガイドを収納することとパンチガイドを引き出して回転させた場合にパンチガイドが基台と直角になるように規制することを目的とするパンチガイド収納カバーがあり、パンチガイドはそのパンチガイド摺動孔にパンチガイドピンを保持しながら、パンチガイドをパンチガイド収納カバーから最大限まで引き出すまでは基台の長辺方向のみの移動、パンチガイドを最大限まで引き出した時点では左右両方向へ９０度までの回転及び左若しくは右方向に９０度回転させたときの基台の長辺方向と直角の動き又は基台の長辺方向と同じ向きにあるときの基台の長辺方向のみの動き、が可能であり、パンチガイドとパンチ屑溜めの下面との間には、板バネがあり、パンチガイドはパンチガイド押さえに押圧されており、不用意に動かないようになっている、構成とした。
【発明の効果】
【０００６】
この１穴パンチ具の使用者は、パンチガイドを使いやすい側で使用することができ、利便性が増す。
【図面の簡単な説明】
【０００７】
【図１】本発明の１穴パンチ具の実施例の斜視図である。
【図２】本発明の１穴パンチ具の実施例のパンチガイド収納時の斜視図である。
【図３】本発明の１穴パンチ具の実施例の下方向からの斜視図である。
【図４】本発明の１穴パンチ具の実施例の断面図である。
【図５】本発明の１穴パンチ具の実施例のハンドル押下時の断面図である。
【図６】本発明の１穴パンチ具の実施例のパンチガイド収納時の下側からの平面図である。
【図７】本発明の１穴パンチ具の実施例のパンチガイド引き出し時の下側からの平面図である。
【図８】本発明の１穴パンチ具の実施例のパンチガイド回転時の下側からの平面図である。
【図９】本発明の１穴パンチ具の実施例のパンチガイドセット時の下側からの平面図である。
【図１０】パンチガイド組み込み順序を示す図である。
【図１１】パンチガイド組み込み途中の図である。
【発明を実施するための形態】
【０００８】
以下、本発明の実施の形態を図１から図１１までに基づいて説明する。
【０００９】
板バネ１５の中央にはパンチガイド押さえ９ａが通過できる大きさの孔があるものとする。
また、パンチガイドピン挿入部５ａはパンチガイド押さえ９ａが通過できる大きさとする。
パンチガイド摺動孔５ｂの幅は、パンチガイド押さえ９ａの直径より小さいものとする。
図１０では、基台２の長辺方向とパンチガイド５の長辺方向とは直角であり、この状態から板バネ１５の中央の孔及びパンチガイドピン挿入部５ａにパンチガイド押さえ９ａを通してパンチガイド５を押さえると図１１の状態になる。
パンチガイド５を押さえたまま図１１の状態からパンチガイド５をその長辺方向に動かすとパンチガイド摺動孔５ｂの幅は、パンチガイド押さえ９ａの直径より小さいのでパンチガイド５はパンチガイドピン９に係留される。
【００１０】
パンチガイド摺動孔５ｂの幅は、パンチガイドピン９に係留されて摺動できる大きさとする。
【００１１】
パンチガイド５のパンチガイドピン挿入部５ａから遠い方の端は、パンチガイド５の幅の長さを１辺とする正方形の対角線の長さの２分の１を半径とする円の４分の１円弧とする。
【００１２】
パンチガイド５の上面には、パンチガイド５を所定の位置にセットするための書類の判型に対応した目印を設けるものとする。
【符号の説明】
【００１３】
１    １穴パンチ具
２    基台
３    作動部固定部
４    ハンドル
５    パンチガイド
５ａ  パンチガイドピン挿入部
５ｂ  パンチガイド摺動孔
６    支点ピン
７    押しピン
８    パンチ屑溜めふた
９    パンチガイドピン
９ａ  パンチガイド押さえ
１０  パンチガイド収納カバー
１１  穿孔刃
１２  穿孔孔
１３  バネ
１４  パンチ屑溜め
１５  板バネ
１６  挿入口
【図１】
0006265488.tif 000002
【図２】
0006265488.tif 000003
【図３】
0006265488.tif 000004
【図４】
0006265488.tif 000005
【図５】
0006265488.tif 000006
【図６】
0006265488.tif 000007
【図７】
0006265488.tif 000008
【図８】
0006265488.tif 000009
【図９】
0006265488.tif 000010
【図１０】
0006265488.tif 000011
【図１１】
0006265488.tif 000012